(57)【要約】【課題】使用が許可されている正規のユーザを認証し、また、さらに認証されたユーザが使用していることを確認できるようにする。【解決手段】シート状の基板の一部又は全体に透明液晶ディスプレイ３を利用したカード型端末１００に、指紋パターン情報を読み取ることが可能な指紋読み取り部５を設け、指紋読み取り部で読み取った指紋情報と、カード型端末に格納されている正規のユーザの指紋情報とを比較して一致した場合には、情報受信部２が動作し、情報を受信できるようにする。また、所定の時間後に再び情報受信部が動作しないよう制御したり、指紋認証される指が指紋読み取り部に触れている場合のみ、情報受信部が動作するように制御したりすることによって、指紋認証時のみ、当該カード型端末が動作するよう制御する。【選択図】　　　図１
2004094614.tif 000002
【特許請求の範囲】
【請求項１】
シート状の基板により構成されるカード型端末であって、
指の指紋パターン情報を読み取ることが可能な指紋読み取り手段と、
特定ユーザに係る基準指紋パターン情報を格納する基準指紋パターン情報格納手段と、
前記指紋読み取り手段によって読み取られた前記指紋パターン情報と、前記基準指紋パターン情報格納手段に格納されている前記基準指紋パターン情報とが一致するか否かを判断する指紋認証手段と、
所定の情報配信装置からの情報を受信することが可能な情報受信手段と、
前記指紋認証手段によって前記指紋パターン情報と前記基準指紋パターン情報とが一致すると判断された場合にのみ、前記情報受信手段による前記情報の受信動作を可能とするよう制御する動作開始制御手段と、
前記情報受信手段によって受信された前記情報を格納することが可能な情報格納手段と、
前記指紋認証手段による認証に成功してから所定の時間後、又は、前記情報受信手段による前記情報の受信が完了してから所定の時間後に、前記情報受信手段の受信動作を不可能とするよう制御する動作終了制御手段とを、
有するカード型端末。
【請求項２】
シート状の基板により構成されるカード型端末であって、
指の指紋パターン情報を読み取ることが可能な指紋読み取り手段と、
特定ユーザに係る基準指紋パターン情報を格納する基準指紋パターン情報格納手段と、
前記指紋読み取り手段によって読み取られた前記指紋パターン情報と、前記基準指紋パターン情報格納手段に格納されている前記基準指紋パターン情報とが一致するか否かを判断する指紋認証手段と、
所定の情報配信装置からの情報を受信することが可能な情報受信手段と、
前記指紋認証手段によって前記指紋パターン情報と前記基準指紋パターン情報とが一致すると判断され、かつ、前記指紋パターン情報に係る指が前記指紋読み取り手段に接触している場合にのみ、前記情報受信手段による前記情報の受信動作を可能とするよう制御する制御手段と、
前記情報受信手段によって受信された前記情報を格納することが可能な情報格納手段とを、
有するカード型端末。
【請求項３】
前記シート状の基板を片手の親指と同一の手の他の指とで挟持した際、前記親指の触れる位置に前記指紋読み取り手段が配置されている請求項１又は２に記載のカード型端末。
【請求項４】
前記情報格納手段に格納されている前記情報を表示することが可能な表示手段を有し、前記表示手段によって前記シート状の基板の一部又は全体が形成される請求項１から３のいずれか１つに記載のカード型端末。
【請求項５】
前記表示手段が、透明液晶ディスプレイである請求項４に記載のカード型端末。
【請求項６】
前記指紋認証手段によって前記指紋パターン情報と前記基準指紋パターン情報とが一致すると判断された場合にのみ、前記動作開始制御手段が、前記情報格納手段に格納されている前記情報の表示動作を行い、前記情報の表示から所定の時間後に、前記動作終了制御手段が、前記情報の表示動作を終了するよう制御する請求項４又は５に記載のカード型端末。
【請求項７】
前記指紋認証手段によって前記指紋パターン情報と前記基準指紋パターン情報とが一致すると判断され、かつ、前記指紋パターン情報に係る指が前記指紋読み取り手段に接触している場合にのみ、前記制御手段が、前記情報格納手段に格納されている前記情報の表示動作を可能とする請求項４又は５に記載のカード型端末。
【請求項８】
同一形状の複数のシート状の基板の所定の１辺側を背表紙として見開き可能なよう構成されるブック型端末であって、
指の指紋パターン情報を読み取ることが可能な指紋読み取り手段と、
特定ユーザに係る基準指紋パターン情報を格納する基準指紋パターン情報格納手段と、
前記指紋読み取り手段によって読み取られた前記指紋パターン情報と、前記基準指紋パターン情報格納手段に格納されている前記基準指紋パターン情報とが一致するか否かを判断する指紋認証手段と、
所定の情報配信装置からの情報を受信することが可能な情報受信手段と、
前記指紋認証手段によって前記指紋パターン情報と前記基準指紋パターン情報とが一致すると判断された場合にのみ、前記情報受信手段による前記情報の受信動作を可能とするよう制御する受信開始制御手段と、
前記情報受信手段によって受信された前記情報を格納することが可能な情報格納手段と、
前記指紋認証手段による認証に成功してから所定の時間後、又は、前記情報受信手段による前記情報の受信が完了してから所定の時間後に、前記情報受信手段の受信動作を不可能とするよう制御する受信終了制御手段とを、
有するブック型端末。
【請求項９】
同一形状の複数のシート状の基板の所定の１辺側を背表紙として見開き可能なよう構成されるブック型端末であって、
指の指紋パターン情報を読み取ることが可能な指紋読み取り手段と、
特定ユーザに係る基準指紋パターン情報を格納する基準指紋パターン情報格納手段と、
前記指紋読み取り手段によって読み取られた前記指紋パターン情報と、前記基準指紋パターン情報格納手段に格納されている前記基準指紋パターン情報とが一致するか否かを判断する指紋認証手段と、
所定の情報配信装置からの情報を受信することが可能な情報受信手段と、
前記指紋認証手段によって前記指紋パターン情報と前記基準指紋パターン情報とが一致すると判断され、かつ、前記指紋パターン情報に係る指が前記指紋読み取り手段に接触している場合にのみ、前記情報受信手段による前記情報の受信動作を可能とするよう制御する制御手段と、
前記情報受信手段によって受信された前記情報を格納することが可能な情報格納手段とを、
有するブック型端末。
【請求項１０】
前記背表紙に前記指紋読み取り手段が配置されている請求項８又は９に記載のブック型端末。
【請求項１１】
前記情報格納手段に格納されている前記情報を表示することが可能な表示手段を有し、前記表示手段によって前記シート状の基板の一部又は全体が形成される請求項８から１０のいずれか１つに記載のブック型端末。
【請求項１２】
前記表示手段が、透明液晶ディスプレイである請求項１１に記載のブック型端末。
【請求項１３】
前記指紋認証手段によって前記指紋パターン情報と前記基準指紋パターン情報とが一致すると判断された場合にのみ、前記動作開始制御手段が、前記情報格納手段に格納されている前記情報の表示動作を行い、前記情報の表示から所定の時間後に、前記動作終了制御手段が、前記情報の表示動作を終了するよう制御する請求項１１又は１２に記載のブック型端末。
【請求項１４】
前記指紋認証手段によって前記指紋パターン情報と前記基準指紋パターン情報とが一致すると判断され、かつ、前記指紋パターン情報に係る指が前記指紋読み取り手段に接触している場合にのみ、前記制御手段が、前記情報格納手段に格納されている前記情報の表示動作を可能とする請求項１１又は１２に記載のブック型端末。
【請求項１５】
指の指紋パターン情報を読み取ることが可能な指紋読み取り手段と、特定ユーザに係る基準指紋パターン情報を格納する基準指紋パターン情報格納手段と、前記指紋読み取り手段によって読み取られた前記指紋パターン情報と、前記基準指紋パターン情報格納手段に格納されている前記基準指紋パターン情報とが一致するか否かを判断する指紋認証手段と、情報を受信することが可能な情報受信手段と、前記指紋認証手段によって前記指紋パターン情報と前記基準指紋パターン情報とが一致すると判断された場合にのみ、前記情報受信手段による前記情報の受信動作を可能とするよう制御する受信開始制御手段と、前記情報受信手段によって受信された前記情報を格納することが可能な情報格納手段と、前記指紋認証手段による認証に成功してから所定の時間後、又は、前記情報受信手段による情報の受信が完了してから所定の時間後に、前記情報受信手段の受信動作を不可能とするよう制御する受信終了制御手段とを有するシート型端末又はブック型端末に対して、情報を送信することが可能な情報送信手段を有する情報配信装置。
【請求項１６】
指の指紋パターン情報を読み取ることが可能な指紋読み取り手段と、特定ユーザに係る基準指紋パターン情報を格納する基準指紋パターン情報格納手段と、前記指紋読み取り手段によって読み取られた前記指紋パターン情報と、前記基準指紋パターン情報格納手段に格納されている前記基準指紋パターン情報とが一致するか否かを判断する指紋認証手段と、情報を受信することが可能な情報受信手段と、前記指紋認証手段によって前記指紋パターン情報と前記基準指紋パターン情報とが一致すると判断され、かつ、前記指紋パターン情報に係る指が前記指紋読み取り手段に接触している場合にのみ、前記情報受信手段による前記情報の受信動作を可能とするよう制御する制御手段と、前記情報受信手段によって受信された前記情報を格納することが可能な情報格納手段とを有するシート型端末又はブック型端末に対して、情報を送信することが可能な情報送信手段を有する情報配信装置。
【請求項１７】
移動体に搭載される情報配信装置であって、
前記移動体が移動したエリアで、前記エリアに係るエリア情報を受信するエリア情報受信手段と、
前記受信手段によって受信された前記エリア情報を格納することが可能なエリア情報格納手段とを有し、
前記情報送信手段によって、前記エリア情報格納手段に格納されている前記エリア情報を前記シート型端末又は前記ブック型端末に送信する請求項１５又は１６に記載の情報配信装置。
【発明の詳細な説明】
【０００１】
【発明の属する技術分野】
本発明は、正規のユーザのみが使用可能なカード型端末及びブック型端末と、これらのカード型端末及びブック型端末に情報を配信することが可能な情報配信装置に関し、特に、指紋による認証を行って正規のユーザか否かの判断を行う指紋認証機能付きカード型端末及びブック型端末並びに情報配信装置に関する。
【０００２】
【従来の技術】
近年、クレジットカードやプリペイドカードなどにおいて、ＩＣ（ＩｎｔｅｇｒａｔｅｄＣｉｒｃｕｉｔ）が組み込まれたＩＣカードが利用されてきている。このＩＣカードは、従来存在する磁気カードに比べて、格納するデータの安全性や整合性など、セキュリティに優れていることが特徴である。また、特開平１１−１９５１０２号公報には、通常のＩＣカード機能に加えて、ユーザの指紋や手書き情報を利用して認証を行い、不正使用を防ぐことを目的とするセンサ付きＩＣカードが開示されている。
【０００３】
しかしながら、特開平１１−１９５１０２号公報で開示されているセンサ付きＩＣカードでは、ユーザの指紋情報及び／又はユーザによる手書き情報を解析し、ユーザの認証に成功した場合にのみ、センサ付きＩＣカードにおける情報交換機能の利用が可能となることは開示されているが、ユーザの認証とカードの使用とのタイミングのずれなどは考慮されておらず、例えば、ユーザの認証が成功した直後に、そのカードの不正な使用を目的とする第３者にカードを奪われて、不正使用されてしまう可能性がある。
【０００４】
本発明は、上記課題に鑑み、使用が許可されている正規のユーザを認証し、認証されたユーザが使用していることを確認できるようにし、また、ユーザが利用しやすいカード型端末及びブック型端末並びに情報配信装置を提供することを目的とする。
【０００５】
【課題を解決するための手段】
上記目的を達成するため、本発明のカード型端末は、シート状の基板により構成されるカード型端末であって、指の指紋パターン情報を読み取ることが可能な指紋読み取り手段と、特定ユーザに係る基準指紋パターン情報を格納する基準指紋パターン情報格納手段と、指紋読み取り手段によって読み取られた指紋パターン情報と、基準指紋パターン情報格納手段に格納されている基準指紋パターン情報とが一致するか否かを判断する指紋認証手段と、所定の情報配信装置からの情報を受信することが可能な情報受信手段と、指紋認証手段によって指紋パターン情報と基準指紋パターン情報とが一致すると判断された場合にのみ、情報受信手段による情報の受信動作を可能とするよう制御する動作開始制御手段と、情報受信手段によって受信された情報を格納することが可能な情報格納手段と、指紋認証手段による認証に成功してから所定の時間後、又は、情報受信手段による情報の受信が完了してから所定の時間後に、情報受信手段の受信動作を不可能とするよう制御する動作終了制御手段とを有している。
この構成により、指紋認証手段による認証に成功してから所定の時間、又は、情報受信手段による情報の受信が完了してから所定の時間だけ、当該カード型端末が、情報の受信動作を行うことが可能となり、使用が許可されている正規のユーザを認証し、認証に成功した場合に情報の受信が行えるようになる。
【０００６】
また、上記目的を達成するため、本発明のカード型端末は、シート状の基板により構成されるカード型端末であって、指の指紋パターン情報を読み取ることが可能な指紋読み取り手段と、特定ユーザに係る基準指紋パターン情報を格納する基準指紋パターン情報格納手段と、指紋読み取り手段によって読み取られた指紋パターン情報と、基準指紋パターン情報格納手段に格納されている基準指紋パターン情報とが一致するか否かを判断する指紋認証手段と、所定の情報配信装置からの情報を受信することが可能な情報受信手段と、指紋認証手段によって指紋パターン情報と基準指紋パターン情報とが一致すると判断され、かつ、指紋パターン情報に係る指が指紋読み取り手段に接触している場合にのみ、情報受信手段による情報の受信動作を可能とするよう制御する制御手段と、情報受信手段によって受信された情報を格納することが可能な情報格納手段とを有している。
この構成により、指紋の認証に成功する正規のユーザが指紋認証手段に触っている場合にのみ、当該カード型端末が、情報の受信動作を行うことが可能となり、使用が許可されている正規のユーザを認証し、認証されたユーザが使用していることを確認できるようになる。
【０００７】
さらに、本発明は、上記発明において、シート状の基板を片手の親指と同一の手の他の指とで挟持した際、親指の触れる位置に指紋読み取り手段が配置されている。
この構成により、ユーザが、親指とその他の指（例えば、人差し指）で当該カード型端末を挟持することによって、親指の指紋の認証を受けて、当該カード型端末を使用することが可能となる。
【０００８】
さらに、本発明は、上記発明において、情報格納手段に格納されている情報を表示することが可能な表示手段を有し、表示手段によってシート状の基板の一部又は全体が形成されている。
この構成により、受信・格納した情報をシート状の基板上に表示することが可能となる。
【０００９】
さらに、本発明は、上記発明において、表示手段が、透明液晶ディスプレイであるよう構成されている。
この構成により、軽量でかつ持ち運びに便利であり、さらに、表示の見やすいカード型端末を実現することができる。
【００１０】
さらに、本発明は、上記発明において、指紋認証手段によって指紋パターン情報と基準指紋パターン情報とが一致すると判断された場合にのみ、動作開始制御手段が、情報格納手段に格納されている情報の表示動作を行い、前記情報の表示から所定の時間後に、前記動作終了制御手段が、前記情報の表示動作を終了するよう構成されている。
この構成により、指紋認証手段による認証に成功してから所定の時間、又は、情報受信手段による情報の受信が完了してから所定の時間だけ、当該カード型端末が受信・格納した情報を表示手段によって表示することが可能となる。
【００１１】
さらに、本発明は、上記発明において、指紋認証手段によって指紋パターン情報と基準指紋パターン情報とが一致すると判断され、かつ、指紋パターン情報に係る指が指紋読み取り手段に接触している場合にのみ、制御手段が、情報格納手段に格納されている情報の表示動作を可能とするよう構成されている。
この構成により、指紋の認証に成功する正規のユーザが指紋認証手段に触っている場合にのみ、当該カード型端末が受信・格納した情報を表示手段によって表示することが可能となる。
【００１２】
また、上記目的を達成するため、本発明のブック型端末は、同一形状の複数のシート状の基板の所定の１辺側を背表紙として見開き可能なよう構成されるブック型端末であって、指の指紋パターン情報を読み取ることが可能な指紋読み取り手段と、特定ユーザに係る基準指紋パターン情報を格納する基準指紋パターン情報格納手段と、指紋読み取り手段によって読み取られた指紋パターン情報と、基準指紋パターン情報格納手段に格納されている基準指紋パターン情報とが一致するか否かを判断する指紋認証手段と、所定の情報配信装置からの情報を受信することが可能な情報受信手段と、指紋認証手段によって指紋パターン情報と基準指紋パターン情報とが一致すると判断された場合にのみ、情報受信手段による情報の受信動作を可能とするよう制御する受信開始制御手段と、情報受信手段によって受信された情報を格納することが可能な情報格納手段と、指紋認証手段による認証に成功してから所定の時間後、又は、情報受信手段による情報の受信が完了してから所定の時間後に、情報受信手段の受信動作を不可能とするよう制御する受信終了制御手段とを有している。
この構成により、指紋認証手段による認証に成功してから所定の時間、又は、情報受信手段による情報の受信が完了してから所定の時間だけ、当該カード型端末が、情報の受信動作を行うことが可能となり、使用が許可されている正規のユーザを認証し、認証に成功した場合に情報の受信が行えるようになる。
【００１３】
また、上記目的を達成するため、本発明のブック型端末は、同一形状の複数のシート状の基板の所定の１辺側を背表紙として見開き可能なよう構成されるブック型端末であって、指の指紋パターン情報を読み取ることが可能な指紋読み取り手段と、特定ユーザに係る基準指紋パターン情報を格納する基準指紋パターン情報格納手段と、指紋読み取り手段によって読み取られた指紋パターン情報と、基準指紋パターン情報格納手段に格納されている基準指紋パターン情報とが一致するか否かを判断する指紋認証手段と、所定の情報配信装置からの情報を受信することが可能な情報受信手段と、指紋認証手段によって指紋パターン情報と基準指紋パターン情報とが一致すると判断され、かつ、指紋パターン情報に係る指が指紋読み取り手段に接触している場合にのみ、情報受信手段による情報の受信動作を可能とするよう制御する制御手段と、情報受信手段によって受信された情報を格納することが可能な情報格納手段とを有している。
この構成により、指紋の認証に成功する正規のユーザが指紋認証手段に触っている場合にのみ、当該ブック型端末が、情報の受信動作を行うことが可能となり、使用が許可されている正規のユーザを認証し、認証されたユーザが使用していることを確認できるようになる。
【００１４】
さらに、本発明は、上記発明において、背表紙に指紋読み取り手段が配置されている。
この構成により、ユーザが、当該ブック型端末のシート状の基板を見開き、背表紙に指を接触させた状態で、指紋の認証を受けて、当該ブック型端末を使用することが可能となる。
【００１５】
さらに、本発明は、上記発明において、情報格納手段に格納されている情報を表示することが可能な表示手段を有し、表示手段によってシート状の基板の一部又は全体が形成されている。
この構成により、受信・格納した情報をシート状の基板上に表示することが可能となる。
【００１６】
さらに、本発明は、上記発明において、表示手段が、透明液晶ディスプレイであるよう構成されている。
この構成により、軽量でかつ持ち運びに便利であり、さらに、表示の見やすいブック型端末を実現することができる。
【００１７】
さらに、本発明は、上記発明において、指紋認証手段によって指紋パターン情報と基準指紋パターン情報とが一致すると判断された場合にのみ、動作開始制御手段が、情報格納手段に格納されている情報の表示動作を行い、情報の表示から所定の時間後に、動作終了制御手段が、情報の表示動作を終了するよう構成されている。
この構成により、指紋認証手段による認証に成功してから所定の時間、又は、情報受信手段による情報の受信が完了してから所定の時間だけ、当該カード型端末が受信・格納した情報を表示手段によって表示することが可能となる。
【００１８】
さらに、本発明は、上記発明において、指紋認証手段によって指紋パターン情報と基準指紋パターン情報とが一致すると判断され、かつ、指紋パターン情報に係る指が指紋読み取り手段に接触している場合にのみ、制御手段が、情報格納手段に格納されている情報の表示動作を可能とするよう構成されている。
この構成により、指紋の認証に成功する正規のユーザが指紋認証手段に触っている場合にのみ、当該ブック型端末が受信・格納した情報を表示手段によって表示することが可能となる。
【００１９】
また、上記目的を達成するため、本発明の情報配信装置は、指の指紋パターン情報を読み取ることが可能な指紋読み取り手段と、特定ユーザに係る基準指紋パターン情報を格納する基準指紋パターン情報格納手段と、指紋読み取り手段によって読み取られた指紋パターン情報と、基準指紋パターン情報格納手段に格納されている基準指紋パターン情報とが一致するか否かを判断する指紋認証手段と、情報を受信することが可能な情報受信手段と、指紋認証手段によって指紋パターン情報と基準指紋パターン情報とが一致すると判断された場合にのみ、情報受信手段による情報の受信動作を可能とするよう制御する受信開始制御手段と、情報受信手段によって受信された情報を格納することが可能な情報格納手段と、指紋認証手段による認証に成功してから所定の時間後、又は、情報受信手段による情報の受信が完了してから所定の時間後に、情報受信手段の受信動作を不可能とするよう制御する受信終了制御手段とを有するシート型端末又はブック型端末に対して、情報を送信することが可能な情報送信手段を有している。
この構成により、指紋の認証に成功してから所定の時間だけ、当該カード型端末に対して情報の送信を行えるようにすることが可能となる。
【００２０】
また、上記目的を達成するため、本発明の情報配信装置は、指の指紋パターン情報を読み取ることが可能な指紋読み取り手段と、特定ユーザに係る基準指紋パターン情報を格納する基準指紋パターン情報格納手段と、指紋読み取り手段によって読み取られた指紋パターン情報と、基準指紋パターン情報格納手段に格納されている基準指紋パターン情報とが一致するか否かを判断する指紋認証手段と、情報を受信することが可能な情報受信手段と、指紋認証手段によって指紋パターン情報と基準指紋パターン情報とが一致すると判断され、かつ、指紋パターン情報に係る指が指紋読み取り手段に接触している場合にのみ、情報受信手段による情報の受信動作を可能とするよう制御する制御手段と、情報受信手段によって受信された情報を格納することが可能な情報格納手段とを有するシート型端末又はブック型端末に対して、情報を送信することが可能な情報送信手段を有している。
この構成により、指紋の認証に成功する正規のユーザが指紋認証手段に触っている場合にのみ、当該カード型端末に対して情報の送信を行えるようにすることが可能となる。
【００２１】
さらに、本発明は、上記発明において、当該情報配信装置が移動体に搭載され、移動体が移動したエリアで、そのエリアに係るエリア情報を受信するエリア情報受信手段と、受信手段によって受信されたエリア情報を格納することが可能なエリア情報格納手段とを有し、情報送信手段によって、エリア情報格納手段に格納されているエリア情報をシート型端末又はブック型端末に送信するよう構成されている。
この構成により、当該情報配信装置が移動した複数のエリア内のエリア情報を、当該カード端末に対して送信することができるようになる。
【００２２】
【発明の実施の形態】
以下、図面を参照しながら、本発明のカード型端末及びブック型端末並びに情報配信装置に係る実施の形態について説明する。まず、本発明のカード型端末１００について説明する。図１は、本発明の実施の形態のカード型端末を示す模式的な外観図である。図１に示すカード型端末１００はシート形状をした透明液晶ディスプレイ３を基板とし、この透明液晶ディスプレイ３上にメモリ・ＣＰＵ部１、情報受信部２、指紋読み取り部５、ＩＣ部６が配置されており、また、透明液晶ディスプレイ３の外周に電力を供給するバッテリ４が配置されている。
【００２３】
なお、指紋読み取り部５は、特に、透明液晶ディスプレイ３を含むシート状の基板を右手の親指と右手のその他の指（例えば人差し指）とで挟持した際に、親指の触れる位置に配置されるようにするなど、片手で把持した状態で指紋読み取り部５による指紋の読み取りが行えるようにすることが好ましい。また、その他の各部及び各手段の配置位置は任意に設定することが可能である。また、上記では、情報の表示を行うための表示手段として、軽量かつ鮮明な表示が得られる透明液晶ディスプレイ３を用いているが、任意の表示手段を用いることが可能である。
【００２４】
次に、本発明のブック型端末２００について説明する。なお、本発明のカード型端末１００とブック型端末２００との大きな違いは、ブック型端末が複数の透明液晶ディスプレイ３を有し、この特徴に合わせて、背表紙付きの本を模した形状としたことにある。図２は、本発明の実施の形態のブック型端末を示す模式的な外観図である。図１に示すカード型端末１００と同様、図２に示すブック型端末２００は、メモリ・ＣＰＵ部１、情報受信部２、透明液晶ディスプレイ３、バッテリ４、指紋読み取り部５、ＩＣ部６を有しており、複数の透明液晶ディスプレイ３の１辺を軸として開閉動作が可能となるよう構成されている。また、背表紙の部分（開閉動作の軸となる側）に、メモリ・ＣＰＵ部１、通信部２、バッテリ４、指紋読み取り部５、ＩＣ部６など主要な構成要素が配置されている。
【００２５】
なお、このうち指紋読み取り部５は、特に、透明液晶ディスプレイ３を含むシート状の基板を見開き状態とし、背表紙に指を接触させた状態で、指紋の存在する指の腹が当たる部分に配置されることが好ましい。また、その他の各部及び各手段の配置位置は任意に設定することが可能である。また、上記では、情報の表示を行うための表示手段として、軽量かつ鮮明な表示が得られる透明液晶ディスプレイ３を用いているが、任意の表示手段を用いることが可能である。
【００２６】
次に、本発明の情報配信装置について説明する。この情報配信装置３００は、前述のカード型端末１００やブック型端末２００に対して、情報を送信することが可能な装置である。図３は、本発明の実施の形態の情報配信装置を示す模式図であり、図３（ａ）は、本発明の実施の形態の情報配信装置を示す正面図、図３（ｂ）は、本発明の実施の形態の情報配信装置を示す右側面から見た断面図である。図３に示す情報配信装置３００は、メモリ・ＣＰＵ部１１、情報送信部１２、液晶ディスプレイ１３、バッテリ１４、スピーカ１５、エリア情報受信手段１６、エリア情報格納手段１７、操作ボタン１８を有している。
【００２７】
以下、本発明のカード型端末１００及びブック型端末２００、情報配信装置３００の内部構成、各手段の機能、動作などについて詳細に説明する。なお、以下では、情報配信装置３００がキオスク端末として機能する第１の実施の形態と、情報配信装置３００が移動体（自転車やバイクなど）に搭載されて情報を収集する第２の実施の形態に分けて説明する。
【００２８】
＜第１の実施の形態＞
図４は、本発明の第１の実施の形態のカード型端末又はブック型端末と情報配信装置とを含む情報配信システムのネットワーク図である。図４には、カード型端末１００又はブック型端末２００と情報配信装置３００とが図示されている。カード型端末１００又はブック型端末２００は、メモリ・ＣＰＵ部１、情報受信部２、表示部３、指紋読み取り部５、ＩＣ部６、指紋認証部４１、基準指紋パターン情報格納部４２を有している。
【００２９】
メモリ・ＣＰＵ部１は、制御プログラムを有し、この制御プログラムを実行することによって通信動作や表示動作などの様々な制御を行う制御手段である。また、情報受信部２は、情報配信装置３００から情報を受信することを可能とする手段であり、例えば、ＩｒＤＡやブルートゥースなどを用いて通信を行うことが可能である。なお、情報受信部２は、通常の状態では、通信を行うことが不可能なよう設定されており、指紋認証部４１によって、指紋の認証に成功した場合のみ通信動作が可能となるよう制御されている。
【００３０】
また、表示部３は、図１に示す透明液晶ディスプレイ３に対応するものであり、情報の表示を行うことを可能とする手段である。なお、情報受信部２と同様、表示部３も、通常の状態では情報を表示することが不可能なよう設定されており、指紋認証部４１によって、指紋の認証に成功した場合のみ表示動作が可能となるよう制御されている。
【００３１】
また、指紋読み取り部５は、当該カード型端末１００又はブック型端末２００を用いるユーザの指紋情報を、例えば画像情報として読み取ることができる手段である。また、ＩＣ部６は、情報受信部２によって受信された情報を格納する受信情報格納手段である。また、指紋認証部４１は、指紋読み取り部５によって読み取られた指紋情報を認証し、正規のユーザの指紋か否かを判断する手段である。また、基準指紋パターン情報格納部４２は、正規のユーザの指紋情報（本明細書では基準指紋パターン情報と呼ぶ）を格納する手段である。なお、基準指紋パターン情報は、所定の操作を経なければ基準指紋パターン情報格納部４２に格納されないようにすることが好ましく、また、基準指紋パターン情報格納部４２への情報の追加、変更、消去などが簡単に行えないよう構成されることが好ましい。
【００３２】
一方、情報配信装置３００は、メモリ・ＣＰＵ部１１、情報送信部１２、表示部１３、スピーカ１５、操作ボタン１８、情報格納手段５１を有している。メモリ・ＣＰＵ部１１は、制御プログラムを有し、この制御プログラムを実行することによって通信動作や表示動作などの様々な制御を行う制御手段である。また、情報送信部２は、カード型端末１００又はブック型端末２００に情報を送信することを可能とする手段であり、例えば、ＩｒＤＡやブルートゥースなどを用いて通信を行うことが可能である。また、スピーカ１５は、操作案内用の音声などを出力する音声出力手段である。また、操作ボタン１８は、情報の選択や情報送信の指示などを行うことを可能とする操作手段である。また、情報格納手段５１は、カード型端末１００又はブック型端末２００に送信するための情報を格納しておく手段である。
【００３３】
この情報配信装置３００は、例えば、駅構内や街頭などの人が集まる場所や、コンビニエンス・ストアやチケットセンターなどの店舗内に設置可能なキオスク端末であり、例えば、カード型端末１００又はブック型端末２００に対して、無料で配布される割引サービス情報やクーポン情報、有料のチケット情報などを送信することが可能である。
【００３４】
次に、カード型端末１００又はブック型端末２００が情報配信装置３００から情報を受信する場合の動作について説明する。まず、カード型端末１００又はブック型端末２００を用いるユーザは、表示部１３を確認しながら情報配信装置３００を操作して、受信を希望する所望の情報を選択する。
【００３５】
一方、ユーザは、自分が持っているカード型端末１００又はブック型端末２００の指紋読み取り部５に指を接触させ、指紋読み取り部５によって指紋情報（指紋パターン情報）を読み取らせる。指紋読み取り部５は、ユーザの指紋を画像情報として読み取る。指紋読み取り部５が読み取った指紋情報は、指紋認証部４１に供給される一方、指紋認証部４１は、基準指紋パターン情報格納部４２から基準指紋情報（基準指紋パターン情報）を読み出し、これら２つの指紋情報が一致するか否かを判断する。
【００３６】
２つの指紋情報が一致した場合（指紋の認証に成功した場合）には、指紋認証部４１は、メモリ・ＣＰＵ部１に対して認証成功の通知を行い、メモリ・ＣＰＵ部１は、情報受信部２が正常に動作するよう（すなわち、通信を行えるよう）制御を行う。なお、認証に失敗した場合や、認証動作が正常に行われていない場合には、メモリ・ＣＰＵ部１は、情報受信部２が動作しないように制御している。
【００３７】
認証に成功し、通信手段が正常に動作するようになった場合、ユーザは、例えば表示部３の表示などによってその旨を知り、情報配信装置３００の操作ボタン１８を押して、情報配信装置３００から自分のカード型端末１００又はブック型端末２００に向けて、所望の情報の送信を開始する。そして、情報の受信が完了した場合、カード型端末１００又はブック型端末２００は、受信情報をＩＣ部６に格納する。これにより、指紋認証に成功した場合のみ、非接触ＩＣカードへの情報の取り込みが行われるようにすることが可能となる。
【００３８】
なお、メモリ・ＣＰＵ部１は、計時機能によって認証に成功した後の経過時間又は情報の受信が完了してからの経過時間を計測し、認証に成功してから所定の時間後、又は、情報の受信が完了してから所定の時間後に、通信手段を通常の通信不可能状態に戻すことが好ましい。また、指紋認証部４１によって指紋の認証が成功した場合、その指が指紋読み取り部５に接触している状態の場合にのみ、情報受信部２が通信動作を行えるよう制御することも可能であり、これによって、ユーザが指紋読み取り部５から指を離した場合に、通信を不可能とすることが可能となる。なお、指紋読み取り部５に指が接触しているか否かを検出する方法は任意であり、例えば、接触センサ、圧力センサ、温度センサを用いたり、指紋認証の成功後の指紋読み取り部５における入射光量の変化などを検知したり、指紋認証を所定時間間隔で継続的に行ったりすることによって、正規のユーザの指が接触しているか否かを判断することが可能となる。
【００３９】
また、カード型端末１００又はブック型端末２００の表示部３において、情報配信装置３００から取得しＩＣ部６に格納された情報を表示する場合も指紋認証を行って、正規のユーザの場合にのみ情報の表示を行うようにすることも可能である。図５は、本発明の第１の実施の形態のカード型端末の表示部に情報が表示されている様子を示す模式図である。すなわち、指紋読み取り部５に指が正規のユーザの指であると認証された場合、情報受信部２が正常に動作するだけではなく、表示部３も正常に動作が行われるようになり、所定の操作によって、ＩＣ部６に格納された情報を表示することが可能となる。例えば、店舗やコンサート会場の入り口において、店員や係員に、正規の認証過程を経て表示部３に表示された情報を見せることによって、クーポン券やコンサートの入場券として利用することが可能となる。
【００４０】
また、図６は、本発明の第１の実施の形態のカード型端末の表示部に表示されている情報が読み取られる様子を示す模式図である。情報配信装置３００から送信されＩＣ部６に格納される情報を、例えば、認証パターンを有する画像すかし情報や、バーコード情報とすることで、所定の情報読み取り装置４００によって、表示部３に表示されている情報が正規の情報か否かを確認することも可能となる。
【００４１】
＜第２の実施の形態＞
また、図７は、本発明の第２の実施の形態のカード型端末又はブック型端末と情報配信装置とを含む情報配信システムのネットワーク図である。図７には、カード型端末１００又はブック型端末２００と情報配信装置３００とが図示されており、情報配信装置３００が、情報配信サーバ５００からの情報を受信することが可能なエリア情報受信部（エリア情報受信手段）１６を有する点において、第１の実施の形態と異なっている。
【００４２】
情報配信装置３００は、情報配信サーバ５００から情報を受信し、受信した情報を情報格納手段５１やエリア情報格納手段１７（図３に図示、情報格納手段５１によって代用可能）に格納することによって、情報配信サーバ５００から受信する最新の情報を格納できるようになる。また、さらに、情報配信装置３００が、積極的に情報を取得できるようにすることも可能であり、例えば、自由に移動可能な移動体に情報配信装置３００を搭載させることによって、情報配信装置３００が空間的移動を行うことができるようにすることも可能である。
【００４３】
図８は、本発明の第２の実施の形態の情報配信装置が移動体に搭載されている状態を示す模式図である。移動体６００は、人力又は動力を用いて移動可能な乗り物であり、この移動体６００に情報配信装置３００を搭載して、各地域（エリア）を移動しながらエリア情報受信部１６で各エリアの情報を受信していくことによって、積極的に情報を取得することが可能となる。
【００４４】
図９は、本発明の第２の実施の形態における複数の情報配信サーバのそれぞれが確保する通信セルを移動体が横切る様子を示す模式図である。例えば、情報配信サーバ５００は、街中に複数配置されており、複数の情報配信サーバ５００のそれぞれが、各配置エリアに係る異なる情報（エリア情報又はローカル情報）を配信している。移動体６００がこれらの情報配信サーバ５００の形成する通信セルを横切る際、移動体６００に搭載された情報配信装置３００のエリア情報受信部１６が、各情報配信サーバ５００からエリア情報を受信することによって、移動体６００の通り道となる様々なエリアに係るエリア情報を受信、格納することが可能となる。
【００４５】
なお、図９に示すように、情報配信装置３００を搭載した移動体６００が、複数の情報配信サーバ５００のそれぞれによって形成される通信セル間を移動し、情報配信装置３００が、各通信セル内で配信されているエリア情報をすべて取得する代わりに、例えば、情報配信装置３００にＧＰＳ（Ｇｌｏｂａｌ　Ｐｏｓｉｔｉｏｎｉｎｇ　Ｓｙｓｔｅｍ）機能などの現在位置情報取得機能を設け、情報配信装置３００が、情報配信サーバ５００に対して自己の現在位置を通知し、自己の現在位置を中心とした所定の距離（所定の半径）のエリアに係るエリア情報を取得できるようにすることも可能である。これによって、情報配信装置３００は、常に自己の現在位置を中心としたエリアに係るエリア情報を受信・格納できるようになる。
【００４６】
上記のようにして、情報配信装置３００のエリア情報格納手段１７や情報格納手段５１に格納された情報は、すでに第１の実施の形態で説明した情報配信装置３００からカード型端末１００又はブック型端末２００への情報の送信動作によって、カード型端末１００又はブック型端末２００に送信することが可能である。図１０は、本発明の第２の実施の形態における情報配信装置からカード型端末に情報が送信される場合の様子を示す模式図である。図１０に示すように、カード型端末１００の指紋読み取り部５に指を接触させ、指紋認証を行わせることによって、カード型端末１００の情報受信部２の動作を可能とし、この状態で、情報配信装置３００から所望の情報を送信することによって、カード型端末１００は、情報配信装置３００がエリア情報受信部１６を介して受信した情報を取得することが可能となる。
【００４７】
なお、上記実施の形態では、指紋認証を用いてユーザの認証を行っているが例えば、虹彩認証や静脈パターンの認証など、他の認証技術を利用することも可能である。
【００４８】
【発明の効果】
以上、説明したように、本発明によれば、シート状の基板により構成されるカード型端末に、接触している指の指紋パターン情報を読み取ることが可能な指紋読み取り手段と、当該カード型端末の使用が許可されたユーザに係る基準指紋パターン情報を格納する基準指紋パターン情報格納手段と、指紋読み取り手段によって読み取られた指紋パターン情報と、基準指紋パターン情報格納手段に格納されている基準指紋パターン情報とが一致するか否かを判断する指紋認証手段と、所定の情報配信装置からの情報を受信することが可能な情報受信手段と、指紋認証手段によって指紋パターン情報と基準指紋パターン情報とが一致すると判断された場合にのみ、情報受信手段による情報の受信動作を可能とするよう制御する動作開始制御手段と、情報受信手段によって受信された情報を格納することが可能な情報格納手段と、指紋認証手段による認証に成功してから所定の時間後、又は、情報受信手段による情報の受信が完了してから所定の時間後に、情報受信手段の受信動作を不可能とするよう制御する動作終了制御手段とを設けたので、指紋認証手段による認証に成功してから所定の時間、又は、情報受信手段による情報の受信が完了してから所定の時間だけ、当該カード型端末が、情報の受信動作を行うことが可能となり、使用が許可されている正規のユーザを認証し、認証に成功した場合に情報の受信が行えるようにすることが可能となる。また、所定の時間だけ動作できるよう制御するのではなく、指紋認証に成功し、かつ、指紋認証された指が指紋読み取り手段に接触している場合にのみ動作するよう制御することも可能である。
【図面の簡単な説明】
【図１】本発明の実施の形態のカード型端末を示す模式的な外観図
【図２】本発明の実施の形態のブック型端末を示す模式的な外観図
【図３】本発明の実施の形態の情報配信装置を示す模式図
（ａ）本発明の実施の形態の情報配信装置を示す正面図
（ｂ）本発明の実施の形態の情報配信装置を示す右側面から見た断面図
【図４】本発明の第１の実施の形態のカード型端末又はブック型端末と情報配信装置とを含む情報配信システムのネットワーク図
【図５】本発明の第１の実施の形態のカード型端末の表示部に情報が表示されている様子を示す模式図
【図６】本発明の第１の実施の形態のカード型端末の表示部に表示されている情報が読み取られる様子を示す模式図
【図７】本発明の第２の実施の形態のカード型端末又はブック型端末と情報配信装置とを含む情報配信システムのネットワーク図
【図８】本発明の第２の実施の形態の情報配信装置が移動体に搭載されている状態を示す模式図
【図９】本発明の第２の実施の形態における複数の情報配信サーバのそれぞれが確保する通信セルを移動体が横切る様子を示す模式図
【図１０】本発明の第２の実施の形態における情報配信装置からカード型端末に情報が送信される場合の様子を示す模式図
【符号の説明】
１、１１　メモリ・ＣＰＵ部
２、６１　情報受信部
３　透明液晶ディスプレイ（表示部）
４、１４　バッテリ
５　指紋読み取り部
６　ＩＣ部
１２　情報送信部
１３　液晶ディスプレイ
１５　スピーカ
１６　エリア情報受信手段（エリア情報受信部）
１７　エリア情報格納手段
１８　操作ボタン
４１　指紋認証部
４２　基準指紋パターン情報格納部
５１　情報格納手段
１００　カード型端末
２００　ブック型端末
３００　情報配信装置
４００　情報読み取り装置
５００　情報配信サーバ
６００　移動体
【図１】
2004094614.tif 000003
【図２】
2004094614.tif 000004
【図３】
2004094614.tif 000005
【図４】
2004094614.tif 000006
【図５】
2004094614.tif 000007
【図６】
2004094614.tif 000008
【図７】
2004094614.tif 000009
【図８】
2004094614.tif 000010
【図９】
2004094614.tif 000011
【図１０】
2004094614.tif 000012